(57)【要約】【課題】圧力損失を低減することが可能な電気掃除機を提供する。【解決手段】ハンドル１１を有する掃除機本体１０と、サイクロン式の集塵部２０と、吸引力を発生する電動送風機４０と、を備え、掃除機本体１０には、塵埃を含む空気が流入する本体流入口１５ａが設けられ、本体流入口１５ａ側から見たときに、当該本体流入口１５ａと電動送風機４０の入口とが一部において重なり、集塵部２０が本体流入口１５ａと電動送風機４０の入口との間に配置されている。【選択図】図３
2015173673.tif 000002
【特許請求の範囲】
【請求項１】
使用時に把持する把持部を有する掃除機本体と、
前記掃除機本体に設けられるサイクロン式の集塵部と、
前記掃除機本体に設けられ、吸引力を発生する電動送風機と、を備え、
前記掃除機本体には、塵埃を含む空気が流入する本体流入口が設けられ、
前記本体流入口側から見たときに、当該本体流入口と前記電動送風機の入口とが一部において重なるとともに、
前記集塵部は、前記本体流入口と前記電動送風機の入口との間に配置されていることを特徴とする電気掃除機。
【請求項２】
塵埃を捕集するフィルタ部を備え、
前記フィルタ部は、前記集塵部と前記電動送風機との間に配置されていることを特徴とする請求項１に記載の電気掃除機。
【請求項３】
前記電動送風機に電力を供給する蓄電装置を備えることを特徴とする請求項１または請求項２に記載の電気掃除機。
【請求項４】
前記集塵部および前記フィルタ部は、前記掃除機本体に対して同一方向に着脱自在であることを特徴とする請求項２に記載の電気掃除機。
【請求項５】
前記集塵部、前記フィルタ部および前記蓄電装置は、前記掃除機本体に対して同一方向に着脱自在であることを特徴とする請求項２を引用する請求項３に記載の電気掃除機。
【請求項６】
前記把持部は、前記本体流入口と前記電動送風機の入口とを結ぶ直線よりも上側に位置していることを特徴とする請求項１から請求項５のいずれか１項に記載の電気掃除機。
【発明の詳細な説明】
【技術分野】
【０００１】
本発明は、ハンドルに集塵部および電動送風機が設けられた電気掃除機に関する。
【背景技術】
【０００２】
可搬型の電気掃除機として、使用時にユーザが手で握るハンドルにサイクロン式の集塵部および電動送風機を備えたものが提案されている（例えば、特許文献１）。
【先行技術文献】
【特許文献】
【０００３】
【特許文献１】特開２０１１−１８９１３２号公報
【発明の概要】
【発明が解決しようとする課題】
【０００４】
しかしながら、特許文献１に記載の電気掃除機では、ハンドルを備えた掃除機本体において、当該掃除機本体に形成された流入口の位置と電動送風機の入口（吸気部）の位置とが上下にずれて配置されているため、流入口から吸い込まれた空気が当該流入口から電動送風機の入口までの距離（流路長）が長くなり、圧力損失が増加するという問題があった。
【０００５】
本発明は、前記従来の問題を解決するものであり、圧力損失を低減することが可能な電気掃除機を提供することを目的とする。
【課題を解決するための手段】
【０００６】
本発明は、使用時に把持する把持部を有する掃除機本体と、前記掃除機本体に設けられるサイクロン式の集塵部と、前記掃除機本体に設けられ、吸引力を発生する電動送風機と、を備え、前記掃除機本体には、塵埃を含む空気が流入する本体流入口が設けられ、前記本体流入口側から見たときに、当該本体流入口と前記電動送風機の入口とが一部において重なるとともに、前記集塵部は、前記本体流入口と前記電動送風機の入口との間に配置されていることを特徴とする。
【発明の効果】
【０００７】
本発明によれば、圧力損失を低減することが可能な電気掃除機を提供できる。
【図面の簡単な説明】
【０００８】
【図１】第１実施形態に係る電気掃除機（延長管最短）を示す外観斜視図である。
【図２】第１実施形態に係る電気掃除機（延長管最長）を示す外観斜視図である。
【図３】第１実施形態に係る電気掃除機を示す斜視図である。
【図４】第１実施形態に係る電気掃除機を示す側面図である。
【図５】第１実施形態に係る電気掃除機を示す平面図である。
【図６】第１実施形態に係る電気掃除機を示す背面図である。
【図７】第１実施形態に係る電気掃除機を示す底面図である。
【図８】図５のＡ−Ａ線矢視断面図である。
【図９】延長管のロック解除機構を示す概念図である。
【図１０】第１実施形態に係る電気掃除機を示す正面図である。
【図１１】掃除機本体から集塵部、フィルタ部およびバッテリを取り外した電気掃除機を示す斜視図である。
【図１２】図１１に示す電気掃除機の正面図である。
【図１３】図１１に示す電気掃除機の側面図である。
【図１４】図１１に示す電気掃除機の断面図である。
【図１５】掃除機本体からさらにモータを取り外した状態を後方側から見たときの電気掃除機を示す斜視図である。
【図１６】図１５に示す電気掃除機の断面図である。
【図１７】第２実施形態に係る電気掃除機を示す断面図である。
【図１８】第３実施形態に係る電気掃除機を示す側面図である。
【図１９】電機掃除機の他の使用形態を示す斜視図である。
【図２０】電気掃除機のさらに他の使用形態を示す斜視図である。
【発明を実施するための形態】
【０００９】
以下、本発明に係る実施形態について適宜図面を参照して説明するが、本実施形態は以下の内容に限定されるものではなく、本発明の趣旨の範囲内において適宜変更して実施可能である。なお、本実施形態に係る電気掃除機は、いわゆるキャニスタタイプの掃除機ではなく、使用時（清掃時）にユーザが握るハンドルに集塵部および電動送風機が備えられた、いわゆるハンディタイプやスティックタイプの掃除機である。
【００１０】
（第１実施形態）
図１は、第１実施形態に係る電気掃除機（延長管最短）を示す外観斜視図、図２は、第１実施形態に係る電気掃除機（延長管最長）を示す外観斜視図である。
図１および図２に示すように、電気掃除機１は、掃除機本体１０と、集塵部２０と、フィルタ部３０と、電動送風機４０と、バッテリ５０（蓄電装置）と、を備えている。
【００１１】
なお、図１および図２に示す状態は、電気掃除機１の使用形態の一例であり、電気掃除機１に延長管６０と吸口７０を接続したものである。また、延長管６０を取り外して掃除機本体１０に吸口７０を直接に接続して使用することもでき、また掃除機本体１０に他の吸口（図１９参照）などを接続して使用することができる。
【００１２】
掃除機本体１０は、使用時にユーザが手で握って操作するハンドル１１（把持部）、延長管６０を伸縮させる際に操作される操作部１２、電源の入り切り、電動送風機４０の運転の強弱切り替えなどの操作を行う手元操作スイッチ１３、掃除機本体１０と延長管６０（吸口７０）とのロックを解除するロック解除ボタン１４などを備えている。なお、手元操作スイッチ１３は、前記した構成に限定されるものではなく、電源のＯＮ／ＯＦＦ（入り切り）のみのシーソー式のスイッチであってもよい。
【００１３】
電気掃除機１は、掃除機本体１０に、サイクロン式の集塵部２０と、集塵部２０を通過した細かな塵埃を捕集するフィルタ部３０と、吸引力を発生させる電動送風機４０とが取り付けられ、電動送風機４０にバッテリ５０が取り付けられている。このように、電気掃除機１は、コードレスタイプの掃除機であり、待機状態から直ちに取り出して使用することができるスタンバイ性に優れたものである。
【００１４】
延長管６０は、外管６１と内管６２とを備え、外管６１の吸口７０側の先端部６３に内管６２の端部が挿入され、伸縮自在に連結されている。
【００１５】
また、内管６２の端部６４には、内管６２と吸口７０との接続を解除するするロック解除ボタン６４ａが設けられている。なお、延長管６０の伸縮操作は、外管６１の先端部６３に設けられたスライド式の操作部６３ａを操作することによっても可能となっている。
【００１６】
このように、電気掃除機１に延長管６０を接続することで、例えば、ユーザの身長に応じて延長管６０の長さを適切な長さに調節することが容易である。
【００１７】
図３は、第１実施形態に係る電気掃除機を示す斜視図である。なお、図３は、掃除機本体１０から延長管６０を取り外した状態である。
図３に示すように、掃除機本体１０は、延長管６０（または吸口７０）が接続される導入管１５を備えている。この導入管１５は、塵埃を含む空気が流入する本体流入口１５ａを有している。この導入管１５の軸方向Ｇ（図５参照）を前後方向とする。
【００１８】
導入管１５の後方には、集塵部２０、フィルタ部３０、電動送風機４０が順番に前後方向に並んで配置されている。また、フィルタ部３０の後方かつ電動送風機４０の下方には、バッテリ５０が配置されている。このように、集塵部２０、フィルタ部３０および電動送風機４０は、すべて導入管１５の中心軸と重なるように配置されている。
【００１９】
集塵部２０は、集塵容器２１を備え、掃除機本体１０に着脱自在に取り付けられる。フィルタ部３０は、掃除機本体１０に設けられたフィルタ収容部１７に着脱自在に取り付けられる。
【００２０】
また、掃除機本体１０は、集塵部２０を着脱自在に保持する保持部１６と、フィルタ部３０を収容するフィルタ収容部１７と、を備えている。
【００２１】
保持部１６は、集塵部２０の上部に設けられる略円形の上板１６ａと、この上板１６ａの周縁に沿って垂下する周板１６ｂと、によって構成されている。
【００２２】
また、保持部１６には、集塵部２０の脱落を防止するためのロック部１６ｃ，１６ｃが左右に設けられている。このロック部１６ｃは、保持部１６の周板１６ｂに形成される軸受部１６ｃ１と、この軸受部１６ｃ１に回動自在に支持されるロック片１６ｃ２と、を有している。ロック片１６ｃ２は、前後方向（導入管１５の軸方向）を回動軸中心として、集塵部２０の外周面に対して接離する方向に回動する。一方、集塵容器２１の外面には、ロック片１６ｃ２と嵌合してロックするロック突起２１ｓ（図１１参照）が形成されている。なお、集塵部２０と保持部１６とをロックするロック部１６ｃについては、脱落を防止できる構成であれば、前記した実施形態に限定されるものではなく、各種の構成を採用することができる。
【００２３】
フィルタ収容部１７は、略矩形状かつ中空状に形成され、底側にフィルタ部３０を抜き差しする開口部１７ａ（図８参照）を有している。すなわち、フィルタ収容部１７は、上面側に配置される上板１７ｂと、正面側に配置される前板１７ｃと、左右側面に配置される側板１７ｄと、背面側に配置される背板１７ｅ（図４参照）と、を有している。
【００２４】
図４は、第１実施形態に係る電気掃除機を示す側面図である。
図４に示すように、掃除機本体１０に設けられるハンドル１１は、上側に凸となる山型に形成され、フィルタ部３０の上方に頂部１１ａを有している。また、ハンドル１１は、頂部１１ａの位置から前方に向けて下降する前方傾斜部１１ｂと、後方に向けて下降する後方傾斜部１１ｃと、前方傾斜部１１ｂと後方傾斜部１１ｃとを連結する連結部１１ｄと、を有している。また、前方傾斜部１１ｂは、導入管１５の先端部まで形成されている。
【００２５】
また、ハンドル１１は、前方傾斜部１１ｂと後方傾斜部１１ｃと連結部１１ｄとによって、左右からユーザの手が挿入される側面視略三角形状の開口１１ｅを有している。この開口１１ｅは、頂部１１ａに対応する位置から前方に向けて下降する前方傾斜面１１ｆと、頂部１１ａに対応する位置から後方に向けて下降する後方傾斜面１１ｇと、前方傾斜面１１ｆの下端と後方傾斜面１１ｇの下端とをつなぐ水平面１１ｈと、によって閉空間となるように構成されている。このようにハンドル１１が閉空間の開口１１ｅを有することで、ハンドル１１の下部に、電動送風機４０やバッテリ５０などの重量物を取り付けたとしても、ハンドル１１の撓み変形を抑えることができ、強度を十分に確保することができる。
【００２６】
また、開口１１ｅ内において、前方傾斜面１１ｆから操作部１２が突出して設けられている。使用時（清掃時）には、後方傾斜部１１ｃを握ることでグリップ力が発揮され、後方傾斜部１１ｃを握った状態で操作部１２を操作できるようになっている。また、後方傾斜部１１ｃの下方に重量物である電動送風機４０およびバッテリ５０が位置しているので、使用時には安定して操作できる。
【００２７】
集塵部２０は、円筒形状の集塵容器２１を備えている。集塵容器２１の軸方向は、導入管１５の軸方向に対して直交する向きである。フィルタ部３０は、集塵部２０の後方に隣接して配置されている。電動送風機４０は、フィルタ部３０の後方に隣接して横置きに配置され、電動送風機４０の軸方向（不図示）と導入管１５の軸方向とがそれぞれ前後方向で一致している。
【００２８】
電動送風機４０は、円筒形状のモータケース４１を有し、モータケース４１がフィルタ収容部１７の背板１７ｅに接するように配置されている。モータケース４１の後端面４１ａは、掃除機本体１０（ハンドル１１）の後端部１１ｓよりも前方に位置するように（後端面４１ａが後端部１１ｓから後方に突出しないように）構成されている。
【００２９】
バッテリ５０は、略四角形状のバッテリケース５１を有し、モータケース４１と接するように配置されている。バッテリケース５１の後端面５１ａは、後端部１１ｓよりも前方に位置するように（後端面５１ａが後端部１１ｓから後方に突出しないように）構成されている。また、モータケース４１の後端面４１ａとバッテリケース５１の後端面５１ａとは、面一となるように構成されている。このように、バッテリ５０を電動送風機４０の下側に配置することにより、電気掃除機１が軸方向Ｇ（図５参照）に長くなるのを防止できる。
【００３０】
図５は、第１実施形態に係る電気掃除機を示す平面図である。
図５に示すように、電気掃除機１は、導入管１５の軸方向Ｇに沿って、導入管１５側から順に、集塵部２０（図４参照）、フィルタ部３０、電動送風機４０が配置されている。また、集塵部２０、フィルタ部３０および電動送風機４０は、掃除機本体１０（ハンドル１１）から左右均等に突出して形成されている。このように、集塵部２０、フィルタ部３０、電動送風機４０を掃除機本体１０（ハンドル１１）に沿って設けることにより、掃除機本体１０（ハンドル１１）から左右に突出する突出量を抑えることができ、例えば、ユーザがハンドル１１を前後に動かして使用する際、集塵部２０、フィルタ部３０および電動送風機４０がユーザの身体に接触するのを抑えることができる。
【００３１】
また、バッテリ５０（図４参照）は、図５の平面視において、電動送風機４０から左右に突出しないように構成されている。これにより、例えば、ユーザがハンドル１１を前後に動かして使用する際、バッテリ５０がユーザの身体に接触するのを抑えることができる。
【００３２】
図６は、第１実施形態に係る電気掃除機を示す背面図である。
図６に示すように、電動送風機４０には、モータケース４１の外周面に、モータ固定部４２が複数個所（本実施形態では４箇所）に形成されている。各モータ固定部４２は、フィルタ収容部１７の背板１７ｅ（図４参照）に対向する位置で、上板１７ｂおよび側板１７ｄから外方に突出しないように構成されている。各モータ固定部４２には、軸方向Ｇ（前後方向、紙面垂直方向）に貫通するねじ挿通孔４２ａが形成されている。
【００３３】
バッテリ５０には、バッテリケース５１の上面の左右に取り付けられる受け部５３が形成されている。この受け部５３を介して、バッテリ５０が電動送風機４０に取り付けられている。
【００３４】
また、バッテリ５０は、電動送風機４０のモータケース４１と上下において接触するように構成されている。このように、バッテリ５０と電動送風機４０とを接触させることにより、電気掃除機１の上下方向の寸法を小さく抑えることができる。
【００３５】
図７は、第１実施形態に係る電気掃除機を示す底面図である。
図７に示すように、集塵容器２１は、導入管１５と連通させる接続部２１ａを備えている。この接続部２１ａは、導入管１５の後端部に当接する当接板２１ｂと、当接板２１ｂから集塵容器２１の周面とを接続する連通路２１ｃと、を有している。また、連通路２１ｃの軸方向（流れ方向）ｇは、軸方向Ｇに対して傾斜している。すなわち、連通路２１ｃによって、本体流入口１５ａから流入した空気が集塵容器２１の周方向（接線方向）に導入されるように構成されている。
【００３６】
また、集塵容器２１は、フィルタ収容部１７の前板１７ｃと接するように配置されている。フィルタ部３０の下面には、つまみ部３１が設けられている。このつまみ部３１をつまんで下方に引くことで、フィルタ部３０をフィルタ収容部１７から取り出すことができる。
【００３７】
図８は、図５のＡ−Ａ線矢視断面図である。
図８に示すように、集塵部２０は、集塵容器２１の内部に、塵埃分離部２２を備えている。塵埃分離部２２は、円筒部２２ａと、この円筒部２２ａの底面を塞ぐ底部２２ｂと、を有している。また、集塵容器２１の上部には、塵埃分離部２２とフィルタ部３０とを連通させる連通部２２ｃが設けられている。
【００３８】
円筒部２２ａは、軸方向の長さが集塵容器２１の軸方向の長さの略半分であり、導入管１５と対応する高さ位置に配置されている。また、円筒部２２ａの周面には、矩形状の開口２２ａ１が周方向に間隔を置いて形成され、各開口２２ａ１にメッシュ形状のシート２２ａ２（第１のフィルタ）が貼着されている。すなわち、導入管１５から導入された空気は、シート２２ａ２を通ってフィルタ部３０に導入されるようになっている。なお、円筒部２２ａは、シート２２ａ２を設ける構成に限定されるものではなく、小孔を複数形成する構成であってもよい。
【００３９】
底部２２ｂは、円筒部２２ａの直径よりも大径の円形部２２ｂ１と、この円形部２２ｂ１の外周縁部に、下方に向けて集塵容器２１側に傾斜する（集塵容器２１の内側面に向けて延出する）拡径部２２ｂ２と、を有している。この底部２２ｂによって、底部２２ｂと集塵容器２１との間の間隔が狭くなっているので、集塵容器２１の底に貯まった塵埃が上部に戻りにくくなっている。
【００４０】
連通部２２ｃは、円筒部２２ａの上部と連通するとともに、軸方向Ｇ（前後方向）に沿って、フィルタ部３０（フィルタ収容部１７）に向けて延びる流路２２ｃ１を有している。
【００４１】
フィルタ部３０（第２のフィルタ）は、ＨＥＰＡフィルタなどのエアフィルタで構成されている。フィルタ部３０は、フィルタ収容部１７の底に形成された開口部１７ａを介して着脱自在である。フィルタ収容部１７には、前板１７ｃの上部に、連通部２２ｃとフィルタ収容部１７内とを連通させる連通孔１７ｆ１が形成されている。
【００４２】
電動送風機４０は、モータケース４１内にモータ（電動機）４３が横置きに配置され、モータケース４１内において防振ゴム（不図示）などを介して支持されている。なお、図示していないが、モータ４３の回転軸には、羽根車が設けられており、この羽根車が回転することにより、吸引力が発生する。
【００４３】
また、モータ４３の吸気口４３ａには、前方（フィルタ部３０側）に向けて拡径する吸気部４４が設けられている。なお、この吸気部４４の開口部４４ａが、電動送風機４０の入口である。また、吸気部４４と対向するフィルタ収容部１７の背板１７ｅには、フィルタ収容部１７と吸気部４４とを連通させる格子状の連通孔１７ｅ１（図１５参照）が形成されている。
【００４４】
なお、モータケース４１内に吸い込まれた空気は、モータケース４１に形成された排気口（不図示）から外部に排出されるようになっている。また、排気口（不図示）は、例えば、モータケース４１の背面や背面側の周面に形成されている。
【００４５】
バッテリ５０は、バッテリケース５１と、このバッテリケース５１内に収容される充放電可能な二次電池５２と、を有している。二次電池５２は、リチウムイオン、ニッケル水素、ニッケルカドミウム電池など各種の充電可能なものを適用することができる。
【００４６】
掃除機本体１０内には、延長管６０（図１、図２参照）を伸縮させる際のロック解除機構８０の一部を構成する部分が設けられている。すなわち、ロック解除機構８０は、第１ロッド８１、回転連結板８２、第２ロッド８３などで構成されている。
【００４７】
第１ロッド８１は、一端が操作部１２と連結され、他端が回転連結板８２と連結されている。回転連結板８２は、図８の側面視において略楕円形状を呈し、中央に回動軸８２ａを有し、回動軸８２ａが掃除機本体１０内に回動可能に支持されている。また、回転連結板８２は、連通部２２ｃの前方かつ集塵容器２１の上部に位置している。また、回転連結板８２には、回動軸８２ａを挟んで一端側に第１ロッド８１が連結され、他端に第２ロッド８３の一端が連結されている。
【００４８】
第２ロッド８３は、軸方向Ｇ（前後方向）に沿って配置され、第２ロッド８３の他端が、導入管１５に設けられたロッド挿入孔８４に挿入支持されている。ロッド挿入孔８４は、導入管１５の端面に向けて開放しており、この導入管１５の端面から第２ロッド８３の先端８３ａが突出可能に構成されている。また、回転連結板８２には、当該回転連結板８２を図８において反時計回り方向に付勢する付勢部材が設けられている。
【００４９】
このように、電気掃除機１では、集塵部２０、フィルタ部３０および電動送風機４０の上方にハンドル１１を備えた掃除機本体１０が配置されているので、ロック解除機構８０を配置することが容易になる。
【００５０】
また、図８において、白抜き矢印で示すように、軸方向Ｇに沿って、略直線状となるように流路が形成されているので、低圧力損失の流路を構成することができる。なお、集塵部２０では、一部の空気が旋回流となって比較的重い塵埃が集塵容器２１内に集められる。また、導入管１５と集塵部２０とフィルタ部３０と電動送風機４０とが軸方向において近接して配置されているので、本体流入口１５ａから電動送風機４０までの流路長さを短くできるので、さらに低圧力損失の流路を構成することができる。
【００５１】
図９は、延長管の伸縮ロック解除機構を示す概念図である。図９は、掃除機本体１０に延長管６０を接続した状態を示している。
図９に示すように、ロック解除機構８０は、延長管６０の外筒６１に軸方向に沿って第３ロッド８５が設けられている。第３ロッド８５の一端８５ａは、第２ロッド８３の先端８３ａと対向する位置に設けられている。第３ロッド８５の他端側には、回転板８６が設けられている。回転板８６は、中央に回動軸８６ａを有し、外筒６１内において回動自在に支持されている。また、回転板８６は、第３ロッド８５によって押されることで、時計回り方向に回動するように構成されている。また、回転板８６は、図示しない付勢部材によって反時計回り方向に付勢されている。内筒６２には、回転板８６と対向する位置において、複数の固定溝８７が軸方向に間隔を空けて形成されている。固定溝８７に回転板８６の突起８６ｂが係合することで、延長管６０が所定長さでロックされるようになっている。
【００５２】
すなわち、ユーザがハンドル１１を握った状態において、操作部１２を指で略後方（図９の矢印方向）に引くことで、第１ロッド８１が後方に引かれ、回転連結板８２が回転軸８２ａを支点として時計回り方向（図９参照）に回動する。これにより、第２ロッド８３が軸方向Ｇの前方に押し出され、第２ロッド８３の先端８３ａが導入管１５の端面から突出する。第２ロッド８３によって、第３ロッド８５の一端８５ａが押圧されることで、回転板８６が反時計回り方向（図９参照）に回動する。これにより、回転板８６の係止突起８６ｂが固定溝８７から抜け出ることでロックが解除される。そして、ユーザは、操作部１２を引いた状態を維持しながら、延長管６０を所望の長さに伸縮させる。そして、ユーザは、操作部１２から指を離すことで、回転連結板８２に設けられた付勢部材（不図示）の弾性復帰力によって第１ロッド８１および第２ロッド８３が初期状態に戻り、また回転板８６に設けられた付勢部材（不図示）の弾性復帰力によって第３ロッド８５が初期状態に戻るとともに、係止突起８６ｂが固定溝８７に嵌合して、延長管６０がロック状態となる。
【００５３】
図１０は、第１実施形態に係る電気掃除機を示す正面図である。
図１０に示すように、電気掃除機１では、本体流入口１５ａから見たときに、本体流入口１５ａと吸気部４４の開口部４４ａ（電動送風機の入口、破線部参照）とが重なるように構成されている。なお、電気掃除機１では、開口部４４ａの範囲内に本体流入口１５ａの全体が含まれている場合を例に挙げて説明したが、本体流入口１５ａと開口部４４ａとが一部において重なるものであってもよい。
【００５４】
図１１は、掃除機本体から集塵部、フィルタ部およびバッテリを取り外した状態を示す斜視図である。なお、図１１に示すフィルタ部３０は、取り外し途中の状態を示している。また、図１１では、電気掃除機１の左側のみを図示しているが、右側についても左側と同様にほぼ左右対称に構成されているものとする。
【００５５】
図１１に示すように、電気掃除機１は、掃除機本体１０から集塵部２０、フィルタ部３０およびバッテリ５０を取り外すことができるように構成されている。このように、集塵部２０、フィルタ部３０およびバッテリ５０は、同一方向（下方）に向けて取り外すことができるようになっている。これにより、集塵容器２１内の塵埃やフィルタ部３０で捕集された塵埃を取り除く際の取り扱い性（メンテナンス性）を向上させることができる。
【００５６】
すなわち、集塵部２０については、ロック部１６ｃのロック片１６ｃ２を集塵容器２１から離れる方向へ回動させることで、ロック片１６ｃ２と集塵容器２１のロック突起２１ｓとのロック状態が解除される。これにより、集塵部２０を下方に引き抜くことができる。
【００５７】
また、フィルタ部３０の下端部の側面には、爪部３２が突出して形成されている。この爪部３２は、つまみ部３１（図７参照）を操作することで、爪部３２がフィルタ部３０の側面に対して進退自在となるように構成されている。一方、フィルタ収容部１７の側板１７ｄには、爪部３２が挿入される係止孔１７ｇが形成されている。フィルタ部３０をフィルタ収容部１７から取り外す場合には、つまみ部３１（図７参照）をつまむと、爪部３２がフィルタ部３０の側面から内側に引き込まれ、そして爪部３２が係止孔１７ｇから抜け出ることで、フィルタ部３０をフィルタ収容部１７から取り外すことができる。
【００５８】
図１２は、図１１に示す電気掃除機の正面図である。
図１２に示すように、掃除機本体１０から集塵部２０を取り外すと、集塵容器２１、連通部２２ｃ、接続部２１ａを含めて取り外されるようになっている。なお、図１２に示す本体流入口１５ａから見えるのは、フィルタ収容部１７の前板１７ｃである。
【００５９】
図１３は、図１１に示す電気掃除機の側面図である。
図１３に示すように、バッテリケース５１には、内部の二次電池５２と電気的に接続する電線を引き出す引き出し管５４が設けられている。なお、図示していないが、制御基板は、例えば、モータケース４１内やバッテリケース５１内に設けられる。このように、電気掃除機１では、集塵部２０、フィルタ部３０およびバッテリ５０が、掃除機本体１０に対して同一方向（下方）に着脱できるように構成されている。
【００６０】
図１４は、図１１に示す電気掃除機の断面図である。
図１４に示すように、バッテリケース５１の上面には、軸方向Ｇ（前後方向）に延在する受け部５３が形成されている。受け部５３は、前後方向（軸方向Ｇ）の両端部に、底面から立ち上がる壁部５３ｂ，５３ｂを有している。受け部５３には、壁部５３ｂ，５３ｂとで凹部５３ａを構成している。
【００６１】
図１５は、掃除機本体からさらにモータを取り外した状態を後方側から見た電気掃除機を示す斜視図、図１６は、図１５に示す電気掃除機の断面図である。
図１５および図１６に示すように、モータケース４１は、掃除機本体１０にスライド可能に支持されるスライド板４６を有している。このスライド板４６は、ハンドル１１の連結部１１ｄの一部を構成するものであり、フィルタ収容部１７の背板１７ｅの位置からハンドル１１の後端部１１ｓまで延在している。
【００６２】
図１５に示すように、脚部４５には、軸方向に貫通するねじ挿通孔４５ａが形成されている。受け部５３の後側の壁部５３ｂには、軸方向に貫通するねじ挿通孔５３ｃが形成されている。フィルタ収容部１７の背板１７ｅには、モータ固定部４２と対応する位置にねじボス１７ｈが形成されている。
【００６３】
電動送風機４０を掃除機本体１０に取り付ける場合には、スライド板４６を軸方向の後方から連結部１１ｄに形成された溝１１ｄ１（図１６参照）に沿ってスライド挿入し、各モータ固定部４２を対応するねじボス１７ｈに当接させる。そして、モータ固定部４２側からねじ挿通孔４２ａ（図６参照）にねじ（不図示）を挿通してねじボス１７ｈに螺合させる。
【００６４】
バッテリ５０を電動送風機４０に取り付ける場合には、脚部４５を受け部５３の凹部５３ａに挿入して、ねじ（不図示）を後側の壁部５３ｂのねじ挿通孔５３ｃに挿通し、脚部４５のねじ挿通孔４５ａに挿通した後に、前側の壁部５３ｂのねじ孔（不図示）に螺合させる。
【００６５】
以上説明したように、電気掃除機１では、本体流入口１５ａ側（図８のＲ側）から見たときに、本体流入口１５ａと電動送風機４０の吸気部４４（電動送風機の入口）とが重なるとともに（図１０参照）、集塵部２０が本体流入口１５ａと吸気部４４との間に配置されている（図４〜図８参照）。これによれば、本体流入口１５ａから、集塵部２０を通って電動送風機４０の吸気部４４までの流路を略直線に構成できるので、本体流入口１５ａから流入した空気の圧力損失を低減することができる。このように、低損失構造によって同一性能の電動送風機を備えた電気掃除機よりも高い吸込み力を発揮することが可能になる。
【００６６】
なお、電気掃除機１では、吸気部４４の開口部４４ａの範囲内に本体流入口１５ａの全体が含まれる構成であるが、本体流入口１５ａが吸気部４４の開口部４４ａと一部において重なるものであれば、同様の効果を得ることができる。
【００６７】
また、電気掃除機１では、塵埃を捕集するフィルタ部３０が、集塵部２０と電動送風機４０との間に配置されている。これによれば、本体流入口１５ａから、集塵部２０およびフィルタ部３０を通って電動送風機４０の吸気部４４までの流路を略直線に構成できるので、本体流入口１５ａから流入した空気の圧力損失を低減することができ、しかも電気掃除機１から外部に排出される排気をクリーンにできる。
【００６８】
また、電気掃除機１では、電動送風機４０に電力を供給するバッテリ５０が備えられている。これによれば、バッテリ５０で駆動する方式（コードレス方式）とした場合であっても、圧力損失の低減により、吸込み力の向上を図ることができる。
【００６９】
また、電気掃除機１では、集塵部２０、フィルタ部３０およびバッテリ５０が、掃除機本体１０に対して同一方向に着脱自在に構成されている。これによれば、電気掃除機１のお手入れ性（メンテナンス性）を向上させることができる。
【００７０】
また、電気掃除機１では、ハンドル１１が、本体流入口１５ａと電動送風機４０の吸気部４４とを結ぶ直線よりも上側に位置している。なお、本体流入口１５ａと電動送風機４０の吸気部４４とを結ぶ直線とは、本体流入口１５ａの軸中心と吸気部４４の中心とを結ぶ直線である。これによれば、ハンドル１１が集塵部２０、フィルタ部３０、電動送風機４０およびバッテリ５０などの構成部品を持ち上げる方向に位置するので（ハンドル１１よりも下側に重量物が位置するので）、使用時のバランスが安定し、取り扱い性を向上させることができる（掃除がし易くなる）。
【００７１】
なお、電気掃除機１では、ハンドル１１の後方傾斜部１１ｃおよびその近傍を把持することで、腕を下に伸ばした状態で掃除機本体１０を前後させるだけで掃除することが可能になり、利用者の手首に過度な負担をかけることなく楽な姿勢で掃除を行うことができる。
【００７２】
（第２実施形態）
図１７は、第２実施形態に係る電気掃除機を示す断面図である。なお、第１実施形態と同様の構成については同一の符号を付して重複した説明を省略する（以降の実施形態についても同様）。
図１７に示すように、電気掃除機１Ａは、集塵部２０の連通部２２ｃに、フィルタ収容部１７に向けて流路断面が拡大する拡大路２２ｃ２を有している。この拡大路２２ｃ２は、下方に向けて拡大するように構成されている。また、フィルタ収容部１７の前板１７ｃには、拡大路２２ｃ２の開口に合わせた形状の連通孔１７ｆ２が形成されている。
【００７３】
また、電動送風機４０は、第１実施形態の吸気部４４よりも大径の吸気部４４Ａを備えている。また、フィルタ収容部１７の背板１７ｅには、吸気部４４Ａの開口径（最大径）に合わせた連通孔１７ｅ２が形成されている。
【００７４】
電気掃除機１Ａでは、本体流入口１５ａ側から見たときに、本体流入口１５ａと電動送風機４０の吸気部４４Ａ（電動送風機の入口）とが重なるとともに、集塵部２０が本体流入口１５ａと吸気部４４Ａとの間に配置されている。これによれば、第１実施形態と同様に、本体流入口１５ａから、集塵部２０を通って電動送風機４０の吸気部４４Ａまでの流路を略直線に構成できるので、本体流入口１５ａから流入した空気の圧力損失を低減することができる。
【００７５】
なお、第２実施形態では、拡大路２２ｃ２と吸気部４４Ａの双方を備える場合を例に挙げて説明したが、拡大路２２ｃ２のみを備えるものであってもよく、また吸気部４４Ａのみを備えるものであってもよい。
【００７６】
（第３実施形態）
図１８は、第３実施形態に係る電気掃除機を示す側面図である。
図１８に示すように、電気掃除機１Ｂは、バッテリ５０が電動送風機４０に対して軸方向（前後方向）にスライド自在に取り付けられ、バッテリ５０を後方にスライドさせることにより電動送風機４０から取り外すことができる。
【００７７】
このように、バッテリ５０を後方にスライドさせることで掃除機本体１０から取り外すことができるようにすることで、バッテリ５０の取り外し時におけるバッテリ５０の落下を防止することができる。
【００７８】
電気掃除機１Ｂでは、バッテリ５０を掃除機本体１０に対して前後方向にスライド可能に構成したとしても、集塵部２０とフィルタ部３０とが掃除機本体１０に対して同一方向（下方）に着脱可能であるので、取り扱い性（メンテナンス性）を向上させることができる。
【００７９】
なお、電気掃除機１Ｂでは、バッテリ５０を電動送風機４０に対して前後方向にスライド可能とした場合を例に挙げて説明したが、バッテリ５０を電動送風機４０に対して左右方向にスライド可能とする構成であってもよい。
【００８０】
図１９は、電機掃除機の他の使用形態を示す斜視図、図２０は、電気掃除機のさらに他の使用形態を示す斜視図である。
図１９は、電気掃除機１の本体流入口１５ａに、布団用の吸口７１を直接に取り付けた使用形態である。この吸口７１は、吸口本体７１ａと、吸口本体７１ａの左右両側に回転可能に支持された車輪７１ｂ，７１ｂと、を備えている。このように、電気掃除機１に、隙間ノズルなど他の種類の吸口を接続して使用することができる。
【００８１】
図２０は、電気掃除機１の本体流入口１５ａに、延長管６０を接続し、延長管６０の先端に前記した布団用の吸口７１を取り付けた使用形態である。このように、延長管６０を接続して使用することにより、ユーザが位置を変えずに布団の広い範囲を掃除することができる。
【００８２】
本発明は、前記した実施形態に限定されるものではなく、本発明の趣旨を逸脱しない範囲において適宜変更することができる。例えば、各実施形態では、バッテリ５０によって駆動するコードレス方式の電気掃除機１，１Ａ，１Ｂを例に挙げて説明したが、コンセントから電源が供給される有線式の電気掃除機に適用してもよい。
【００８３】
また、ハンドル１１の下方に電動送風機４０とバッテリ５０を設けた場合を例に挙げて説明したが、バッテリ５０をハンドル１１の上方に配置する構成であってもよい。これによれば、ハンドル１１を横に傾けたときに、ハンドル１１を挟んで重量物の電動送風機４０とバッテリ５０とが左右に位置するので、ユーザにとって手にかかる負荷が小さくなり、操作を安定させることができる。
【００８４】
また、掃除機本体１０に、集塵部２０とフィルタ部３０と電動送風機４０とバッテリ５０とを備えた電気掃除機１を例に挙げて説明したが、掃除機本体１０に、集塵部２０と電動送風機４０とバッテリ５０を備えた電気掃除機であってもよい。これによれば、電気掃除機１をさらに小型化できる。
【００８５】
また、バッテリ５０を、ハンドル１１の筐体内に設ける構成であってもよい。これにより、電気掃除機１を小型化にできる。また、電動送風機４０の回転軸が横向きの場合を例に挙げて説明したが、本体流入口１５ａと吸気部４４，４４Ａとが本体流入口１５ａの軸方向において一部において重なり、圧力損失が大きく損なわれるものでなければ、電動送風機４０のモータ４３の回転軸が軸方向Ｇに対して直交する縦向き（上下方向）であってもよく、軸方向Ｇに対して傾斜する向きであってもよい。
【符号の説明】
【００８６】
１，１Ａ，１Ｂ  電気掃除機
１０    掃除機本体
１１    ハンドル（把持部）
１５ａ  本体流入口
１７    フィルタ収容部
２０    集塵部
２１    集塵容器
３０    フィルタ部
４０    電動送風機
４４，４４Ａ  吸気部（電動送風機の入口）
５０    バッテリ（蓄電装置）
６０    延長管
７０    吸口
８０    ロック解除機構
【図１】
2015173673.tif 000003
【図２】
2015173673.tif 000004
【図３】
2015173673.tif 000005
【図４】
2015173673.tif 000006
【図５】
2015173673.tif 000007
【図６】
2015173673.tif 000008
【図７】
2015173673.tif 000009
【図８】
2015173673.tif 000010
【図９】
2015173673.tif 000011
【図１０】
2015173673.tif 000012
【図１１】
2015173673.tif 000013
【図１２】
2015173673.tif 000014
【図１３】
2015173673.tif 000015
【図１４】
2015173673.tif 000016
【図１５】
2015173673.tif 000017
【図１６】
2015173673.tif 000018
【図１７】
2015173673.tif 000019
【図１８】
2015173673.tif 000020
【図１９】
2015173673.tif 000021
【図２０】
2015173673.tif 000022